(57)【要約】【課題】情報取得先のアドレスを知らなくても、バーコードや電子メールを用いた簡易な方法により将来にわたる情報自動取得を行う。【解決手段】ユーザ端末１０が商品のバーコードからメールアドレスを読み取り、読み取ったメールアドレス宛にメールを送信し、出版物情報提供サーバ３０がユーザ端末１０からのメール受信時に、受信メールの送信先アドレスに対応した商品を抽出し、受信メールの送信元アドレスを前記抽出した商品の商品情報配信先として登録し、出版物情報提供サーバ３０が商品情報を検索し、未配信の商品情報を該当商品の商品情報配信先メールアドレス宛に通知する。【選択図】      図１
2006259909.tif 000002
【特許請求の範囲】
【請求項１】
相互にネットワークで接続されるユーザ端末と、商品業者端末と、商品情報提供サーバとを備えた商品情報取得システムであって、
前記ユーザ端末は、商品のバーコードからメールアドレスを読み取る手段と、読み取ったメールアドレス宛にメールを送信する手段と、商品情報通知メールを受信，表示する手段とを有し、
前記商品業者端末は、商品情報を前記商品情報提供サーバに送信する手段を有し、
前記商品情報提供サーバは、受信した商品情報を商品別に第１のデータベースに登録する手段と、商品と商品のバーコードに含まれるメールアドレスとを対応付けて第２のデータベースに登録する手段と、前記ユーザ端末からのメール受信時に、受信メールの送信先アドレスに対応した商品を前記第２のデータベースから抽出し、受信メールの送信元アドレスを前記抽出した商品の商品情報配信先として第３のデータベースに登録する手段と、前記第１のデータベースに登録された商品情報を検索し、未配信の商品情報を前記第３のデータベースに登録された該当商品の商品情報配信先メールアドレス宛に通知する手段とを有することを特徴とする商品情報取得システム。
【請求項２】
前記商品情報提供サーバは、前記ユーザ端末からユーザメールアドレスを含むユーザ情報を受信して第４のデータベースに登録する手段と、前記ユーザ端末からのメール受信時に、受信メールの送信元アドレスが前記第４のデータベースに登録されているかを判定する手段とをさらに有し、登録されていた場合に前記第３のデータベースに商品情報配信先として登録することを特徴とする請求項１記載の商品情報取得システム。
【請求項３】
前記商品情報提供サーバは、前記第３のデータベースに商品情報配信先として登録されたユーザに対して配信先登録が完了した旨を通知する手段を、さらに有することを特徴とする請求項１または２記載の商品情報取得システム。
【請求項４】
ユーザ端末と商品業者端末とにネットワークを介して接続される商品情報提供サーバであって、
前記商品業者端末から受信した商品情報を商品別に第１のデータベースに登録する手段と、商品と商品のバーコードに含まれるメールアドレスとを対応付けて第２のデータベースに登録する手段と、前記ユーザ端末からのメール受信時に、受信メールの送信先アドレスに対応した商品を前記第２のデータベースから抽出し、受信メールの送信元アドレスを前記抽出した商品の商品情報配信先として第３のデータベースに登録する手段と、前記第１のデータベースに登録された商品情報を検索し、未配信の商品情報を前記第３のデータベースに登録された該当商品の商品情報配信先メールアドレス宛に通知する手段とを有することを特徴とする商品情報提供サーバ。
【請求項５】
前記ユーザ端末からユーザメールアドレスを含むユーザ情報を受信して第４のデータベースに登録する手段と、前記ユーザ端末からのメール受信時に、受信メールの送信元アドレスが前記第４のデータベースに登録されているかを判定する手段とをさらに有し、登録されていた場合に前記第３のデータベースに商品情報配信先として登録することを特徴とする請求項４記載の商品情報提供サーバ。
【請求項６】
前記第３のデータベースに商品情報配信先として登録されたユーザに対して配信先登録が完了した旨を通知する手段を、さらに有することを特徴とする請求項４または５記載の商品情報提供サーバ。
【請求項７】
ユーザ端末が商品のバーコードからメールアドレスを読み取り、読み取ったメールアドレス宛にメールを送信するステップと、商品情報提供サーバが前記ユーザ端末からのメール受信時に、受信メールの送信先アドレスに対応した商品を抽出し、受信メールの送信元アドレスを前記抽出した商品の商品情報配信先として登録するステップと、前記商品情報提供サーバが商品情報を検索し、未配信の商品情報を該当商品の商品情報配信先メールアドレス宛に通知するステップとを有することを特徴とする商品情報取得方法。
【請求項８】
ユーザ端末が商品情報提供サーバにユーザメールアドレスを含むユーザ情報を登録するステップと、前記ユーザ端末が商品のバーコードからメールアドレスを読み取り、読み取ったメールアドレス宛にメールを送信するステップと、前記商品情報提供サーバが前記ユーザ端末からのメール受信時に、受信メールの送信元アドレスが前記ユーザ情報として登録されているかを判定するステップと、判定の結果、登録されていた場合に、前記商品情報提供サーバが受信メールの送信先アドレスに対応した商品を抽出し、受信メールの送信元アドレスを前記抽出した商品の商品情報配信先として登録するステップと、前記商品情報提供サーバが商品情報を検索し、未配信の商品情報を該当商品の商品情報配信先メールアドレス宛に通知するステップとを有することを特徴とする商品情報取得方法。
【請求項９】
ユーザ端末が商品情報提供サーバにユーザメールアドレスを含むユーザ情報を登録するステップと、前記ユーザ端末が商品のバーコードからメールアドレスを読み取り、読み取ったメールアドレス宛にメールを送信するステップと、前記商品情報提供サーバが前記ユーザ端末からのメール受信時に、受信メールの送信元アドレスが前記ユーザ情報として登録されているかを判定するステップと、判定の結果、登録されていた場合に、前記商品情報提供サーバが受信メールの送信先アドレスに対応した商品を抽出し、受信メールの送信元アドレスを前記抽出した商品の商品情報配信先として登録するステップと、商品情報配信先として登録された旨を前記商品情報提供サーバから前記ユーザ端末に通知するステップと、前記商品情報提供サーバが商品情報を検索し、未配信の商品情報を該当商品の商品情報配信先メールアドレス宛に通知するステップとを有することを特徴とする商品情報取得方法。
【請求項１０】
第１の外部装置から受信した商品情報を商品別に第１のデータベースに登録する機能、商品と商品のバーコードに含まれるメールアドレスとを対応付けて第２のデータベースに登録する機能、第２の外部装置からのメール受信時に、受信メールの送信先アドレスに対応した商品を前記第２のデータベースから抽出し、受信メールの送信元アドレスを前記抽出した商品の商品情報配信先として第３のデータベースに登録する機能、前記第１のデータベースに登録された商品情報を検索し、未配信の商品情報を前記第３のデータベースに登録された該当商品の商品情報配信先メールアドレス宛に通知する機能、をコンピュータに実現させるためのプログラム。
【請求項１１】
第１の外部装置から受信した商品情報を商品別に第１のデータベースに登録する機能、第２の外部装置からユーザメールアドレスを含むユーザ情報を受信して第２のデータベースに登録する機能、商品と商品のバーコードに含まれるメールアドレスとを対応付けて第３のデータベースに登録する機能、第２の外部装置からのメール受信時に、受信メールの送信元アドレスが前記第２のデータベースに登録されているかを判定する機能、判定の結果、登録されていた場合に受信メールの送信先アドレスに対応した商品を前記第３のデータベースから抽出し、受信メールの送信元アドレスを前記抽出した商品の商品情報配信先として第４のデータベースに登録する機能、前記第１のデータベースに登録された商品情報を検索し、未配信の商品情報を前記第４のデータベースに登録された該当商品の商品情報配信先メールアドレス宛に通知する機能、をコンピュータに実現させるためのプログラム。
【請求項１２】
第１の外部装置から受信した商品情報を商品別に第１のデータベースに登録する機能、第２の外部装置からユーザメールアドレスを含むユーザ情報を受信して第２のデータベースに登録する機能、商品と商品のバーコードに含まれるメールアドレスとを対応付けて第３のデータベースに登録する機能、第２の外部装置からのメール受信時に、受信メールの送信元アドレスが前記第２のデータベースに登録されているかを判定する機能、判定の結果、登録されていた場合に受信メールの送信先アドレスに対応した商品を前記第３のデータベースから抽出し、受信メールの送信元アドレスを前記抽出した商品の商品情報配信先として第４のデータベースに登録する機能、前記第４のデータベースに商品情報配信先として登録された旨を前記第２の外部装置に通知する機能、前記第１のデータベースに登録された商品情報を検索し、未配信の商品情報を前記第４のデータベースに登録された該当商品の商品情報配信先メールアドレス宛に通知する機能、をコンピュータに実現させるためのプログラム。
【発明の詳細な説明】
【技術分野】
【０００１】
本発明は、商品情報取得システム，方法，商品情報提供サーバおよびプログラムに関し、特にバーコード情報を用いた商品情報取得システム，方法，商品情報提供サーバおよびプログラムに関する。
【背景技術】
【０００２】
バーコード情報を用いた商品情報取得の従来例は、例えば、特開２００３−６０７９号公報（特許文献１）に開示されている。この特許文献１においては、
・ユーザ携帯端末が商品のバーコードから商品識別情報を読み取ってオンライン商品情報登録センターに送信し、
・オンライン商品情報登録センターは、商品識別情報に対応して登録されている商品関連情報を送信したり、試聴用音楽コンテンツ等をユーザ携帯端末にダウンロードすることが記載されている。
【０００３】
【特許文献１】特開２００３−６０７９号公報（「請求項３」、「請求項４」、段落「００５２」〜「００５３」、「００５５」〜「００５６」、図３、図４）
【発明の開示】
【発明が解決しようとする課題】
【０００４】
上述した特許文献１においては、店舗等においてユーザ携帯端末が商品のバーコードを読み取ることによって、商品関連情報や試聴用音楽コンテンツ等をオンラインで取得することが可能である。このオンラインによる商品情報取得方法は、例えば、音楽ＣＤのように目の前にある商品そのものの内容等をその場ですぐに知りたいという場合には有効である。
【０００５】
一方、例えば、出版物のような商品の場合は商品そのものの内容は出版物自体を見ればわかるため、オンライン情報取得の必要性は少ない。その代わり、一度購入した定期刊行の出版物が気に入った場合、次回以降の継続購読の判断材料として、発売情報（発売日，見出し情報，価格等）等を発売決定次第電子メール等により将来にわたり取得したい場合がある。しかし、特許文献１による情報取得方法においては、このような将来にわたる情報自動取得に対応していないという問題がある。
【０００６】
また、上述した特許文献１においては、商品のバーコードから読み取った商品識別情報を商品情報登録センターに送信するために、商品情報登録センターのアドレスを予めユーザ携帯端末に登録しておかなければならないという問題がある。
【０００７】
本発明の目的は、上述した問題をバーコードや電子メールを用いた簡易な方法により解決する商品情報取得システム，方法，商品情報提供サーバおよびプログラムを提供することにある。
【課題を解決するための手段】
【０００８】
本発明の第１の商品情報取得システムは、相互にネットワークで接続されるユーザ端末と、商品業者端末と、商品情報提供サーバとを備えた商品情報取得システムであって、
前記ユーザ端末は、商品のバーコードからメールアドレスを読み取る手段と、読み取ったメールアドレス宛にメールを送信する手段と、商品情報通知メールを受信，表示する手段とを有し、
前記商品業者端末は、商品情報を前記商品情報提供サーバに送信する手段を有し、
前記商品情報提供サーバは、受信した商品情報を商品別に第１のデータベースに登録する手段と、商品と商品のバーコードに含まれるメールアドレスとを対応付けて第２のデータベースに登録する手段と、前記ユーザ端末からのメール受信時に、受信メールの送信先アドレスに対応した商品を前記第２のデータベースから抽出し、受信メールの送信元アドレスを前記抽出した商品の商品情報配信先として第３のデータベースに登録する手段と、前記第１のデータベースに登録された商品情報を検索し、未配信の商品情報を前記第３のデータベースに登録された該当商品の商品情報配信先メールアドレス宛に通知する手段とを有する。
【０００９】
本発明の第２の商品情報取得システムは、本発明の第１の商品情報取得システムにおいて、前記商品情報提供サーバは、前記ユーザ端末からユーザメールアドレスを含むユーザ情報を受信して第４のデータベースに登録する手段と、前記ユーザ端末からのメール受信時に、受信メールの送信元アドレスが前記第４のデータベースに登録されているかを判定する手段とをさらに有し、登録されていた場合に前記第３のデータベースに商品情報配信先として登録することを特徴とする。
【００１０】
本発明の第３の商品情報取得システムは、本発明の第１または第２の商品情報取得システムにおいて、前記商品情報提供サーバは、前記第３のデータベースに商品情報配信先として登録されたユーザに対して配信先登録が完了した旨を通知する手段を、さらに有する。
【００１１】
本発明の第１の商品情報提供サーバは、ユーザ端末と商品業者端末とにネットワークを介して接続される商品情報提供サーバであって、
前記商品業者端末から受信した商品情報を商品別に第１のデータベースに登録する手段と、商品と商品のバーコードに含まれるメールアドレスとを対応付けて第２のデータベースに登録する手段と、前記ユーザ端末からのメール受信時に、受信メールの送信先アドレスに対応した商品を前記第２のデータベースから抽出し、受信メールの送信元アドレスを前記抽出した商品の商品情報配信先として第３のデータベースに登録する手段と、前記第１のデータベースに登録された商品情報を検索し、未配信の商品情報を前記第３のデータベースに登録された該当商品の商品情報配信先メールアドレス宛に通知する手段とを有する。
【００１２】
本発明の第２の商品情報提供サーバは、本発明の第１の商品情報提供サーバにおいて、前記ユーザ端末からユーザメールアドレスを含むユーザ情報を受信して第４のデータベースに登録する手段と、前記ユーザ端末からのメール受信時に、受信メールの送信元アドレスが前記第４のデータベースに登録されているかを判定する手段とをさらに有し、登録されていた場合に前記第３のデータベースに商品情報配信先として登録することを特徴とする。
【００１３】
本発明の第３の商品情報提供サーバは、本発明の第１または第２の商品情報提供サーバにおいて、前記第３のデータベースに商品情報配信先として登録されたユーザに対して配信先登録が完了した旨を通知する手段を、さらに有する。
【００１４】
本発明の第１の商品情報取得方法は、ユーザ端末が商品のバーコードからメールアドレスを読み取り、読み取ったメールアドレス宛にメールを送信するステップと、商品情報提供サーバが前記ユーザ端末からのメール受信時に、受信メールの送信先アドレスに対応した商品を抽出し、受信メールの送信元アドレスを前記抽出した商品の商品情報配信先として登録するステップと、前記商品情報提供サーバが商品情報を検索し、未配信の商品情報を該当商品の商品情報配信先メールアドレス宛に通知するステップとを有する。
【００１５】
本発明の第２の商品情報取得方法は、ユーザ端末が商品情報提供サーバにユーザメールアドレスを含むユーザ情報を登録するステップと、前記ユーザ端末が商品のバーコードからメールアドレスを読み取り、読み取ったメールアドレス宛にメールを送信するステップと、前記商品情報提供サーバが前記ユーザ端末からのメール受信時に、受信メールの送信元アドレスが前記ユーザ情報として登録されているかを判定するステップと、判定の結果、登録されていた場合に、前記商品情報提供サーバが受信メールの送信先アドレスに対応した商品を抽出し、受信メールの送信元アドレスを前記抽出した商品の商品情報配信先として登録するステップと、前記商品情報提供サーバが商品情報を検索し、未配信の商品情報を該当商品の商品情報配信先メールアドレス宛に通知するステップとを有する。
【００１６】
本発明の第３の商品情報取得方法は、ユーザ端末が商品情報提供サーバにユーザメールアドレスを含むユーザ情報を登録するステップと、前記ユーザ端末が商品のバーコードからメールアドレスを読み取り、読み取ったメールアドレス宛にメールを送信するステップと、前記商品情報提供サーバが前記ユーザ端末からのメール受信時に、受信メールの送信元アドレスが前記ユーザ情報として登録されているかを判定するステップと、判定の結果、登録されていた場合に、前記商品情報提供サーバが受信メールの送信先アドレスに対応した商品を抽出し、受信メールの送信元アドレスを前記抽出した商品の商品情報配信先として登録するステップと、商品情報配信先として登録された旨を前記商品情報提供サーバから前記ユーザ端末に通知するステップと、前記商品情報提供サーバが商品情報を検索し、未配信の商品情報を該当商品の商品情報配信先メールアドレス宛に通知するステップとを有する。
【００１７】
本発明の第１のプログラムは、第１の外部装置から受信した商品情報を商品別に第１のデータベースに登録する機能、商品と商品のバーコードに含まれるメールアドレスとを対応付けて第２のデータベースに登録する機能、第２の外部装置からのメール受信時に、受信メールの送信先アドレスに対応した商品を前記第２のデータベースから抽出し、受信メールの送信元アドレスを前記抽出した商品の商品情報配信先として第３のデータベースに登録する機能、前記第１のデータベースに登録された商品情報を検索し、未配信の商品情報を前記第３のデータベースに登録された該当商品の商品情報配信先メールアドレス宛に通知する機能、をコンピュータに実現させる。
【００１８】
本発明の第２のプログラムは、第１の外部装置から受信した商品情報を商品別に第１のデータベースに登録する機能、第２の外部装置からユーザメールアドレスを含むユーザ情報を受信して第２のデータベースに登録する機能、商品と商品のバーコードに含まれるメールアドレスとを対応付けて第３のデータベースに登録する機能、第２の外部装置からのメール受信時に、受信メールの送信元アドレスが前記第２のデータベースに登録されているかを判定する機能、判定の結果、登録されていた場合に受信メールの送信先アドレスに対応した商品を前記第３のデータベースから抽出し、受信メールの送信元アドレスを前記抽出した商品の商品情報配信先として第４のデータベースに登録する機能、前記第１のデータベースに登録された商品情報を検索し、未配信の商品情報を前記第４のデータベースに登録された該当商品の商品情報配信先メールアドレス宛に通知する機能、をコンピュータに実現させる。
【００１９】
本発明の第３のプログラムは、第１の外部装置から受信した商品情報を商品別に第１のデータベースに登録する機能、第２の外部装置からユーザメールアドレスを含むユーザ情報を受信して第２のデータベースに登録する機能、商品と商品のバーコードに含まれるメールアドレスとを対応付けて第３のデータベースに登録する機能、第２の外部装置からのメール受信時に、受信メールの送信元アドレスが前記第２のデータベースに登録されているかを判定する機能、判定の結果、登録されていた場合に受信メールの送信先アドレスに対応した商品を前記第３のデータベースから抽出し、受信メールの送信元アドレスを前記抽出した商品の商品情報配信先として第４のデータベースに登録する機能、前記第４のデータベースに商品情報配信先として登録された旨を前記第２の外部装置に通知する機能、前記第１のデータベースに登録された商品情報を検索し、未配信の商品情報を前記第４のデータベースに登録された該当商品の商品情報配信先メールアドレス宛に通知する機能、をコンピュータに実現させる。
【発明の効果】
【００２０】
本発明は、情報取得を希望する商品のバーコードからメールアドレスを読み取り、読み取ったメールアドレス宛に空メールを送信するという簡易な方法により、将来にわたり希望する情報を自動取得できるという効果を有している。
【００２１】
また、本発明における情報取得登録はバーコードから読み取ったメールアドレス宛に空メールを送信するだけで自動的になされるため、ユーザは情報取得先のアドレスをユーザ端末に登録しておく必要がないという効果を有している。
【発明を実施するための最良の形態】
【００２２】
本発明の実施の形態について図面を参照して詳細に説明する。
【００２３】
図１は、本発明の一実施の形態の構成を示す図であり、ユーザ端末１０と、出版社端末２０と、出版物情報提供サーバ３０と、これらを接続するインターネット等のネットワーク１００とを備えている。
【００２４】
ユーザ端末１０は、ユーザが使用する携帯電話機，ＰＨＳ（Personal Handyphone System），ＰＤＡ（Personal Digital Assistance）等の携帯情報端末、または、パーソナルコンピュータ等の情報処理装置である。このユーザ端末１０は、Ｗebサイトアクセス機能と、カメラによりＱＲコード（Quick Response Code）等の二次元バーコード情報を読み取る機能と、電子メール送受信機能とを備えている。
【００２５】
出版社端末２０は、出版社に設置されるパーソナルコンピュータ等の情報処理装置である。この出版社端末２０は、出版物情報提供サーバ３０に対して各出版物の関連情報の登録を随時行う。関連情報とは、例えば、次回発売される各出版物（出版物コードや出版物名）とその発売時期，見出し情報，価格，発売日等の情報である。
【００２６】
出版物情報提供サーバ３０は、出版物情報提供業者が設置するサーバ・ワークステーション等の情報処理装置であり、制御部３１と、記憶部３２とを備えている。制御部３１はＣＰＵ（Central Processing Unit）等の制御装置であり、図示しないプログラムにより動作を制御される。この制御部３１は、
・ユーザ端末１０から入力されたユーザ情報をユーザ情報データベース３２１に登録する機能、
・ユーザ端末１０から受信したメールの送信先メールアドレスに対応する出版物をメールアドレス／出版物対応データベース３２２から抽出する機能、
・抽出された出版物対応にメール送信元ユーザのメールアドレスを出版物別配信先情報データベース３２３に登録する機能、
・各出版社の出版社端末２０から受信した各出版物の関連情報（出版物新着情報）を出版物新着情報データベース３２４に登録する機能、
・出版物新着情報データベース３２４に登録された新着情報を、出版物別配信先情報データベース３２３から取得した該当ユーザ宛にメール送信する機能、
を備えている。
記憶部３２は、書き込み，読み出し可能な記憶装置であり、ユーザ情報データベース３２１と、メールアドレス／出版物対応データベース３２２と、出版物別配信先情報データベース３２３と、出版物新着情報データベース３２４とを備えている。ユーザ情報データベース３２１には、図２（ユーザ情報データベース３２１に格納されるデータの一例を示す図）に示すように、氏名，性別，生年月日，パスワード，ユーザのメールアドレス等が格納される。メールアドレス／出版物対応データベース３２２には、図３（メールアドレス／出版物対応データベース３２２に格納されるデータの一例を示す図）に示すように、出版物対応メールアドレス，出版物コード，出版物名，出版社名等が予め格納されている。出版物対応メールアドレスは各出版物を一意に識別するものであり、管理する出版物の数だけ用意されている。出版物別配信先情報データベース３２３には、図４（出版物別配信先情報データベース３２３に格納されるデータの一例を示す図）に示すように、出版物コード（または、出版物名）対応に配信先ユーザメールアドレスが格納される。この配信先ユーザメールアドレスの数は特に限定されない。出版物新着情報データベース３２４には、図５（出版物新着情報データベース３２４に格納されるデータの一例を示す図）に示すように、出版物コード（または、出版物名）対応に登録日時，新着情報，配信済み日時等が格納される。これらの各出版物対応の新着情報は、出版社端末２０から該当出版物対応の新たな登録があるたびに上書き更新される。
【００２７】
なお、本発明で用いられる出版物には二次元バーコードが印刷されている。この二次元バーコードは各出版物対応のメールアドレスをバーコード情報化したものである。そして、これらメールアドレスは事前に出版物情報提供業者から各出版社に通知され、各出版社は各出版物印刷時に、その出版物対応のメールアドレスをバーコード化したものを印刷する。
【００２８】
次に、本発明の一実施の形態の動作について図１〜図７を参照して詳細に説明する。なお、図６は本発明の一実施の形態の動作を示すフローチャートであり、図７はユーザ情報登録画面の一例を示す図である。
【００２９】
図６を参照すると、事前準備として、ユーザはユーザ端末１０から出版物情報提供サーバ３０のユーザ情報登録のＷebページにアクセスする（ステップＡ１）。出版物情報提供サーバ３０の制御部３１は、ユーザ情報登録に必要なＷeb画面をユーザ端末１０に送信する（ステップＡ２）。ユーザ端末１０においてはユーザ情報登録画面が表示され（図７参照）、ユーザが必要な情報を入力して「登録」ボタンをクリックすることにより、登録情報を出版物情報提供サーバ３０に送信する（ステップＡ３）。出版物情報提供サーバ３０の制御部３１は、受信したユーザ情報をユーザ情報データベース３２１に登録する（図２参照）（ステップＡ４）。
【００３０】
以上、ユーザ情報登録時の動作について説明したが、次に、出版物情報取得時の動作について説明する。
【００３１】
ユーザが購入した出版物（例えば、定期刊行雑誌等）の次回以降の発売情報等について情報提供を希望する場合、ユーザは出版物に印刷された二次元バーコード情報をユーザ端末１０のカメラで読み取る。これにより、ユーザ端末１０はその出版物が持つメールアドレス情報を入手する（ステップＡ５）。
【００３２】
次に、ユーザ端末１０は、出版物から入手したメールアドレス宛にメールを送信する。この際、送信されるメールには送信先メールアドレスと送信元メールアドレスとが含まれていればよいため、題目，内容等は無記入の空メールで構わない。なお、各出版物のバーコードに含まれるメールアドレス宛のメールについては出版物情報提供サーバ３０に転送されるよう、出版物情報提供サーバ３０や図示しないメールサーバにおいて予め設定しておくものとする（ステップＡ６）。
【００３３】
ユーザからのメールを受け取った出版物情報提供サーバ３０の制御部３１は、受信したメールの送信元メールアドレスがユーザ情報データベース３２１に登録されているかを判定する。登録されていた場合は、制御部３１はメールの送信先メールアドレスに対応する出版物（出版物コード）をメールアドレス／出版物対応データベース３２２から抽出する（図３参照）。そして、制御部３１は、抽出した出版物に対応する配信先ユーザメールアドレスとして、出版物別配信先情報データベース３２３に受信メールの送信元メールアドレスを登録する（図４参照）（ステップＡ７）。
【００３４】
制御部３１は、ステップＡ７で出版物別配信先情報データベース３２３に配信先として登録したユーザについては、登録が完了した旨をユーザ端末１０にメールで通知する。一方、受信したメールの送信元メールアドレスがユーザ情報データベース３２１に登録されていなかったユーザの場合は、制御部３１はユーザ情報登録を促すメールを生成しユーザ端末１０に送信する（ステップＡ８）。
【００３５】
出版物の次回発売内容が決定すると、出版社は出版社端末２０から出版物の関連情報として、次回発売される各出版物（出版物コード）とその発売時期，見出し情報，価格，発売日等の情報を出版物情報提供サーバ３０に送信する（ステップＡ９）。
【００３６】
出版社端末２０から関連情報を受信した出版物情報提供サーバ３０の制御部３１は、出版物コード（または、出版物名）対応の新着情報として関連情報を出版物新着情報データベース３２４に上書き登録する（図５参照）。このとき、制御部３１は登録日時を併せて登録する。なお、図５における配信済み日時については、この時点では空欄のままである（ステップＡ１０）。
【００３７】
出版物情報提供サーバ３０の制御部３１は、定期的に出版物新着情報データベース３２４を検索し、配信済み日時が空欄の（未配信の）新着情報があるかを確認する。未配信の新着情報があった場合は、制御部３１は、その新着情報の出版物コードを出版物新着情報データベース３２４から抽出する。そして、制御部３１は、抽出した出版物コードに対応する配信先ユーザメールアドレスを出版物別配信先情報データベース３２３から取得し、該当ユーザメールアドレス宛に新着情報のメール配信を行う。配信後、制御部３１は出版物新着情報データベース３２４の該当新着情報の配信済み日時欄に配信日時を登録する（ステップＡ１１）。ユーザ端末１０は、出版物情報提供サーバ３０から新着情報を受信し表示する（ステップＡ１２）。
【００３８】
以上説明した本実施の形態によれば、情報取得を希望する出版物のバーコードからメールアドレスを読み取り、読み取ったメールアドレス宛に空メールを送信するという簡易な方法により、将来にわたり希望する情報を自動取得できるという効果が得られる。
【００３９】
また、本実施の形態における情報取得登録はバーコードから読み取ったメールアドレス宛に空メールを送信するだけで自動的になされるため、ユーザは情報取得先のアドレスをユーザ端末１０に登録しておく必要がないという効果がある。
【００４０】
次に、本発明の応用例，変形例等について説明する。
【００４１】
・上述した一実施の形態において、出版物に印刷された二次元バーコードを、二次元バーコード情報の読み取り機能を有するカメラ付きユーザ端末１０が読み取るとして説明したが、二次元バーコードの代わりに一次元バーコードを用いてもよい。この場合は、出版物には一次元バーコードを印刷し、ユーザ端末１０は一次元バーコード情報を読み取るバーコードリーダを備えるものとし、カメラは不要となる。
【００４２】
・上述した一実施の形態において、情報取得対象の商品として定期刊行の出版物を例に説明したが、出版物以外でも商品の購入が継続的に続けられると考えられるもの（例えば、特定アーティストの音楽記録媒体等）にも適用可能である。このような商品一般に適用する場合、出版社端末２０は商品業者端末、出版物情報提供サーバ３０は商品情報提供サーバとするのが望ましい。
【００４３】
・上述した一実施の形態（図６のステップＡ１１）において、出版物情報提供サーバ３０の制御部３１が定期的に出版物新着情報データベース３２４を検索し、未配信の新着情報を該当ユーザに配信するとして説明した。この定期的検索による配信の代わりに、出版物情報提供サーバ３０が出版社端末２０から新着情報を受信したときにすぐ配信するようにしてもよい。また、出版社端末２０から新着情報送信時に配信指定日時を指定するようにしてもよい。この場合、出版物情報提供サーバ３０は新着情報とともに配信指定日時を出版物新着情報データベース３２４に登録し、配信指定日時になったことを確認して該当ユーザへの配信を行うことになる。
【００４４】
・上述した一実施の形態において、出版物情報提供サーバ３０に対する事前のユーザ登録（図６のステップＡ１〜ステップＡ４）をなくするようにしてもよい。この場合は、出版物情報提供サーバ３０のユーザ情報データベース３２１が不要になるとともに、図６のステップＡ７におけるユーザ情報の登録有無判定が不要となり、ユーザはユーザ情報の登録有無に関係なく情報配信先として登録されることになる。このように、事前のユーザ登録をなくすることにより、例えば、バーコードから読み取ったメールアドレスを友人等に送り出版物を勧めることができるという効果が得られる。メールアドレスを受信した友人は、今後の情報取得を希望する場合、ユーザ情報登録を行わなくても受信したメールアドレスに空メールを送信するだけで配信先として登録できる。
【図面の簡単な説明】
【００４５】
【図１】本発明の一実施の形態の構成を示す図である。
【図２】ユーザ情報データベース３２１に格納されるデータの一例を示す図である。
【図３】メールアドレス／出版物対応データベース３２２に格納されるデータの一例を示す図である。
【図４】出版物別配信先情報データベース３２３に格納されるデータの一例を示す図である。
【図５】出版物新着情報データベース３２４に格納されるデータの一例を示す図である。
【図６】本発明の一実施の形態の動作を示すフローチャートである。
【図７】ユーザ情報登録画面の一例を示す図である。
【符号の説明】
【００４６】
１０    ユーザ端末
２０    出版社端末
３０    出版物情報提供サーバ
３１    制御部
３２    記憶部
３２１    ユーザ情報データベース
３２２    メールアドレス／出版物対応データベース
３２３    出版物別配信先情報データベース
３２４    出版物新着情報データベース
１００    ネットワーク
【図１】
2006259909.tif 000003
【図２】
2006259909.tif 000004
【図３】
2006259909.tif 000005
【図４】
2006259909.tif 000006
【図５】
2006259909.tif 000007
【図６】
2006259909.tif 000008
【図７】
2006259909.tif 000009